(57)【要約】      （修正有）【課題】スマートフォン保護ケースの汚れを簡単に解消できるスマートフォンケース用着せ替えシートを提供する。【解決手段】中間に折り曲げ自在な連接部を有して二つ折り可能としたスマートフォンケースに被せられる布地の着せ替えシート１であって、該シートはスマートフォンケースの二つ折りされた状態の外表面を中心に全面被覆可能であり、しかもシートの端部６にはスマートフォンケースの内面側に折り返して該シートをスマートフォンケースの端縁部に係止させる手段を設けてなる。これにより汚れた場合にスマートフォンケースから絵柄模様が施されている布地の着せ替え用シートを取り外して別の着せ替えシート１に容易に着せ替え交換ができ、もしくは洗濯して再利用することができる。【選択図】図１
0003200498.tif 000002
【実用新案登録請求の範囲】
【請求項１】
中間に折り曲げ自在な連接部を有して二つ折り可能としたスマートフォンケースに被せられる布地のシートであって、該シートはスマートフォンケースの二つ折りされた状態の外表面を中心に全面被覆可能であり、しかもシートの端部にはスマートフォンケースの内面側に折り返して該シートをスマートフォンケースの端縁部に係止させる手段を設けてなるスマートフォンケース用着せ替えシート。
【請求項２】
スマートフォンケースの内面側に折り返してシートをスマートフォンケースに係止させる手段が、二つ折り可能なスマートフォンケースの開閉可能とした左右両端の少なくとも一部を装入させることが可能であるようにシートの両端部に袋状部を形成してなるところの請求項１に記載のスマートフォンケース用着せ替えシート。
【請求項３】
スマートフォンケースの内面側に折り返してシートをスマートフォンケースに係止させる手段が、二つ折りして開閉可能としたスマートフォンケースの左右両端から内面側に折り返してスマートフォンケースの内面側連接部近くに設けたポケット内に折込係止できるだけの長さを有するところの請求項１または請求項２に記載のスマートフォンケース用着せ替えシート。
【請求項４】
スマートフォンケースの内面側に折り返してシートをスマートフォンケースに係止させる手段が、二つ折りして開閉可能としたスマートフォンケースの左右両端の少なくとも一部を装入させることが可能であるようにシートの少なくとも片側部に袋状部を形成し、他の片側をスマートフォンケースの内面側連接部近くのポケット内に折込係止できるだけの長さを有するようにしたところの請求項１に記載のスマートフォンケース用着せ替えシート。
【請求項５】
中間に折り曲げ自在な連接部を有して二つ折り可能としたスマートフォンケースに被せられる布地のシートであって、該シートはスマートフォンケースの二つ折りされた状態の外表面を中心に全面被覆可能であり、しかもシートの端部角隅部にはフマートフォンケースの端部角隅部をはめ込むことが可能な三角形の袋状部またはバンドが形成されているスマートフォンケース用着せ替えシート。
【請求項６】
布地のシートには柄模様が施されているところの請求項１〜５の何れか１に記載のスマートフォンケース用着せ替えシート。
【考案の詳細な説明】
【技術分野】
【０００１】
本考案は、スマートフォンを内部に挟み込むように装着収納するとともに、各種のカードケース機能等を兼ね備えた収納ケースの、主に外表面に被せられ、簡易に取り外して洗濯や交換を可能にした着せ替えシートに関する。
【背景技術】
【０００２】
従来、スマートフォンを保護するためのカバーやケース類については多くの種類のものが提案されている。例えば装着するスマートフォンより大きめでしかも塩ビシートなど硬めの生地を中間の折り曲げ自在な連接部を介して二つ折り自在とし、その片側の内面にスマートフォンを保持させるためのプラスチック等の固定枠を固定してこれにスマートフォンを嵌め合わせ固定できるようにしたものが最も一般的に知られている。
【０００３】
また二つ折りしたカバーやケースの内面側にはスマートフォンだけでなく、名刺や名札、各種のカード類を一緒に収納できるようにした多目的ストラップケース（実用新案登録第３１８９１１２号）、あるいは携帯電話の表面外形に沿った形状に構成し、画像を表面に表示したシートと、該シート上面に配置し該シートを保護する透明カバーと、該シートおよび該透明カバーを一体に携帯電話に固定する固定手段とを有することにより、折りたたみ携帯電話の表面デザインを簡便に取り替えることを可能とした携帯電話着せ替えカバーなども知られている（実用新案登録第３１２７６７４号）。
【０００４】
さらに第１の筐体と第２の筐体とが連結部で着脱可能に連結された分離型携帯電話端末の着せ替えパネルであって、該着せ替えパネルは、前記第１の筐体もしくは第２の筐体を挟み込む着せ替えパネル上部と着せ替えパネル下部とから構成され、前記着せ替えパネル下部の筐体と接する面に設けられた補助パネルは、一端が前記着せ替えパネル下部に稼働可能に結合され、他方は前記筐体の端部と一致する形状とすることにより、分離型携帯電話端末の形状デザイン変更を容易におこなうことができるようにした着せ替えパネルおよび携帯電話端末も知られている（特開２０１１−９７４５０号）。
【０００５】
さらに特開２００７−３２９６９７号公開公報に記載のものにおいて、カバー２０に第１の筐体２を覆う第１平面部２０aと、第１平面部２０aおよび第２平面部２０ｂを結合する結合部２０cとを設け、第１固定部材で第１平面部２０aと第１の筐体２とを着脱可能に固定し、さらに第２平面部２０ｂの袋部２２に挿入した第２固定部材３２で第２平面部２０ｂと第２の筐体３とを着脱可能に固定することによりカバー２０を着脱自在とすることにより、傷の発生を防ぎ、交換時には交換が容易で着せ替えを可能にした折り畳み式携帯電子機器も知られている。
【先行技術文献】
【特許文献】
【０００６】
【特許文献１】実用新案登録第３１８９１１２号公報
【特許文献２】実用新案登録第３１２７６７４号公報
【特許文献３】特開２０１１−９７４５０号公報
【特許文献４】特開２００７−３２９６９７号公報
【考案の概要】
【考案が解決しようとする課題】
【０００７】
しかしながら、特許文献１に記載のものは、名札や名刺、ＩＣカードとともに１つのケース内に収納できるようにした多目的ストラップケースに関し、二つ折り可能なストラップケースの内面側にスマートフォンを収納するための透明なポケットを備えている。この場合にスマートフォンの操作はポケットに収納したままの状態にて操作することは可能であるが、スマートフォンのカメラ機能を用いる場合等においてはいちいちスマートフォンを収納ポケットから取り出さなければならず、また取り出しや収納時にスマートフォンを床に落下させて損傷させてしまうおそれがある。さらに該ケースは無地・無模様の場合もあるが、殆どの場合にはその外周表面に綺麗な模様をプリントした布地で一体的に覆われていることが多く、取扱い頻度が多いほど汚れやすいため、比較的短期間でストラップケース毎交換しなければならない。
【０００８】
また、特許文献２に記載された携帯電話着せ替えカバーや、特許文献３に記載された着せ替えパネル及び携帯電話端末、あるいは特許文献４に記載の、カバーの着せ替え交換が可能な折り畳み式携帯電子機器にあっては、それらの着せ替えカバー等が立体的に構成されているために、汚れた場合には規格の合った新しい着せ替えカバー等を購入して着せ替え等をおこなわなければならず、携帯電話自体の進化や規格に合ったカバーの在庫がない場合等においては着せ替えが容易ではない、という課題がある。
【課題を解決するための手段】
【０００９】
そこで本考案においては、スマートフォンケースに布地の比較的薄手の着せ替えシートを被せて、汚れた場合にスマートフォンケースから絵柄模様が施されている布地の着せ替え用シートを取り外して別の着せ替えシートに交換し、もしくは洗濯して再利用のため着せ替えを容易にしたものである。具体的には中間に折り曲げ自在な連接部を有して二つ折り可能としたスマートフォンケースに被せられる布地のシートであって、該シートはスマートフォンケースの二つ折りされた状態の外表面を中心に全面被覆可能であり、しかもシートの端部にはスマートフォンケースの内面側に折り返して該着せ替えシートをスマートフォンケースに係止させる手段を設けてなるスマートフォンケース用着せ替えシートに関する。
【００１０】
本考案はまた、スマートフォンケースの内面側に折り返して着せ替えシートをスマートフォンケースに係止させる手段が、二つ折り可能なスマートフォンケースの開閉可能とした左右両端の少なくとも一部を装入させることが可能であるように着せ替えシートの両端部に袋状部を形成してなるスマートフォンケース用着せ替えシートに関する。さらに本考案は、スマートフォンケースの内面側に折り返してシートをスマートフォンケースに係止させる手段が、二つ折りして開閉可能としたスマートフォンケースの左右両端から内面側に折り返してスマートフォンケースの内面側連接部近くに設けたポケット内に折込係止できるだけの長さを有するところのスマートフォンケース用着せ替えシートに関する。
【００１１】
さらに本考案は、スマートフォンケースの内面側に折り返してシートをスマートフォンケースに係止させる手段が、二つ折りして開閉可能としたスマートフォンケースの左右両端部のうち少なくとも一部を装入させることが可能であるようにシートの少なくとも片側部に袋状部を形成し、他の片側をスマートフォンケースの内面側連接部近くのポケット内に折込係止できるだけの長さを有するようにしたところのスマートフォンケース用着せ替えシートに関する。
【００１２】
さらに本考案は、中間に折り曲げ自在な連接部を有して二つ折り可能としたスマートフォンケースに被せられる方形の布地のシートであって、該シートはスマートフォンケースの二つ折りされた状態の外表面を中心に被覆可能であり、しかもシートの端部角隅部にはフマートフォンケースの端部角隅部をはめ込むことが可能な三角形の袋状部が形成され、また好ましくは弾性バンドが実質的に三角形成の袋状部を形成するように斜め方向に張設されているスマートフォンケース用着せ替えシートに関する。さらに本考案は、布地のシートには種々の柄模様が施されているスマートフォンケース用着せ替えシートに関する。
【考案の効果】
【００１３】
本考案によるスマートフォンケース用着せ替えシートによれば、スマートフォンケースの外表面を中心に布地の着せ替え用シートを被せて、汚れた場合にスマートフォンケースから絵柄模様が施されている布地の着せ替え用シートを取り外して別の着せ替えシートに容易に着せ替え交換し、もしくは洗濯して再利用することができる。また布地であることから軽量で、しかも種々の絵柄模様等のプリントが可能であり、需要者にとってはスマートフォンカバー表面に被せられた布地のデザインを安価に変えることができ、また洗濯するだけで速やかに再利用が可能となる。
【図面の簡単な説明】
【００１４】
【図１】本考案の第１実施例であるスマートフォンケース用着せ替えシートを展開した状態の裏面図。
【図２】図１のスマートフォンケース用着せ替えシートをスマートフォンケースに被覆させた状態のスマートフォンケースの内面側を展開した状態の斜視図。
【図３】図１のスマートフォンケース用着せ替えシートを被覆したスマートフォンケースにスマートフォンを装入してカバーを閉じた状態をあらわしたところのスマートフォンケースの外表面側からみた斜視図。
【図４】本考案の第２の実施例であるスマートフォンケース用着せ替えシートを被覆させた状態のスマートフォンケースの内面側を展開した状態の斜視図。
【図５】さらに本考案の第３の実施例であるスマートフォン用着せ替えシートを被覆させた状態のスマートフォンケースの内面側を展開した状態の斜視図。
【図６】本考案の第４の実施例であるスマートフォン用着せ替えシートを被覆させた状態のスマートフォンケースの内面側を展開した状態の斜視図。
【考案を実施するための形態】
【００１５】
以下において本考案に係るスマートフォンケース用着せ替えシートの具体的構造について図１〜６に例示した図面に基づいて説明をする。
図１には本考案の第１実施例であるスマートフォンケース用着せ替えシート１を展開した状態の裏面図があらわされている（表面側は適宜の絵柄模様が施されている）。該着せ替えシート１を被覆して装着するスマートフォンケースについては最近種々のものが開発されているが、一般的には実装するスマートフォンの縦横および厚み寸法を上回る大きさであって、中間の折り曲げ自在な連接部１０を介してその片側に形成した厚手で略平坦な表面側カバー１２と、他側に形成した同じく厚手で略平坦な裏面側カバー１３と、裏面カバー１２と表面カバー１３との間に、一端１４aを連接部1１付近にステッチあるいは接着剤使用により固定して自由端を折り曲げ自在に固定し、その自由端辺を幾分厚手で略平坦とし、該自由端辺面の略中央部に片面を粘着させた粘着パッド１６を有するスマートフォンSMの保持板１４とからなる。なお図中において１５は保持板１４の基部を連接部１１付近に固定させるためのハトメをあらわしている。
【００１６】
スマートフォンケース用着せ替えシート１は、布類やニット、メリヤス、薄手合成皮革や革等の素材が用いられる。また該シート１には同図面上は省略されているが、着せ替えシート１の表面側（図面であらわされている状態の裏側）には、適宜の図形や模様が施されている。なおこの場合に必ずしも図形や模様等でなくとも無地の着色が施されたものであってもよい。具体的には第１実施例では、中間に折り曲げ自在な連接部を有して二つ折り可能としたスマートフォンケースに被せられる布地のシートであって、該シートはスマートフォンケースの二つ折りされた状態の外表面を中心に被覆可能であり、しかもシートの端部にはスマートフォンケースの内面側に折り返して該シートをスマートフォンケースに係止させる手段を設けてなるスマートフォンケース用着せ替えシートに関する。
【００１７】
この場合に、スマートフォンケース用着せ替えシート１は、図１の展開図にもあらわしたように、スマートフォンケース１０の二つ折りされた状態の外表面を中心に全面被覆される部分の周辺部、つまり各端縁部を内側に折り返してミシン縫いや接着剤によりシート１の裏面側に折り返し縁部２、２、２が形成されており、さらに折り返し縁部２・２間にはゴムバンド５の端部がそれぞれ固定されている。
【００１８】
さらにスマートフォンケース用着せ替えシート１の片側端部には、シート１の端部を折り返して形成したポケット３が形成されており、このポケット３内にスマートフォンカバー１０の裏面カバー１２を装入させて着せ替えシート１の片側をスマートフォンケース１０の片側に固定させる。なおこの場合に、あらかじめフック１７をポケット３の奥に形成されたフック穴４内に引き通しておく必要がある。
【００１９】
なお一方をスマートフォンケース１０の裏面側の自由端縁部に固定させた着せ替えシート１の反対側の自由端側の長さはスマートフォンケースの連接部１１を含めた展開長さのおよそ１．５倍程度の長さを有するのが望ましく、ゴムバンド５の部分に表面カバー１３を潜らせた後、スマートフォンケース１０の連接部１１外側を回り込んで表面カバー１３の自由端部に沿って内側に折り返され、折り返した部分を上記した表面カバー１３の内側に張設して位置するゴムバンド５と表面カバー１３の内側面との間に差し込んで、余った部分を表面カバー１３の内面側に形成したポケット１８の開口縁部から内側に折り込んで端部６をポケットの奥方に挟み込んで固定する。
【００２０】
なおスマートフォンSM自体は既述した保持板１４に、粘着パッド１６の表面に施されている粘着保護フィルムを剥がした後にスマートフォンSMの背面を粘着させて裏面カバー１２および表面カバー１３の長さ方向に対応させた状態にて一体的に取り付けられる。なお図中において１５は保持板１４を連接部１１の部分に固定するためのハトメをあらわしている。
【００２１】
またスマートフォンを一体に取り付けたスマートフォンケース１０に着せ替えシート１を被覆して取り付けるとともに、保持板１４に取り付けられたスマートフォンSMの裏面および表面側に裏面カバー１２および表面カバー１３を重ね合わせた後、裏面カバー１２より延設された先端部にマグネットが埋め込まれている（図示省略）止着フック１７により着せ替えシート１の上から表面カバー１３上に埋め込まれた金属板（図示省略）に磁気吸着させることにより持ち歩き、あるいは保管することが可能となる（図３参照）。なお本実施例においてはマグネット付きの止着フック１７を用いているが、マグネットではなく止着手段として凹凸のホックを用いるようにしてもよく、また必ずしも止着フック１７を用いなくてもよい。
【００２２】
図４には本考案の第２実施例があらわされている。この場合には、スマートフォンケースの内面側に折り返して着せ替えシート１をスマートフォンケースに係止させる手段が、二つ折りして開閉可能としたスマートフォンケース１０の左右両端部分をそれぞれ装入させることが可能であるように着せ替えシート１の左右両側部に袋状部３および７を形成し、一方の袋状部３をスマートフォンケースの裏面カバー１２の開放端寄りに被せるとともに、他方の袋状部７をスマートフォンケースの表面カバー１３の開放端寄りに被せることにより安定的に固定するようにしたものである。
【００２３】
なおこの場合においても止着フック１７は袋状部３の奥に形成されたフック穴４内にあらかじめ引き通しておく必要がある。さらにこの第２実施例の場合においては、スマートフォンケース１０の裏面カバー１２と表面カバー１３とを連接部１１において逆折り状態にしてそれぞれの先端部を着せ替えシート１の両端に形成されている袋状部３および７に装入させてから、スマートフォンケース１０の裏面カバー１２と表面カバー１３とを本来の図４にあらわした状態にして着せ替えシート１を取り付け、または取り外す必要がある。
【００２４】
さらに図５には本考案の第３実施例があらわされている。この着せ替えシート１にあっては、中間に折り曲げ自在な連接部を有して二つ折り可能としたスマートフォンケース１０に被せられる布地の着せ替えシート１であって、該着せ替えシート１はスマートフォンケース１０の二つ折りされた状態の外表面を中心に少なくともスマートフォンケース１０の外表面を全面被覆可能であり、しかも着せ替えシート１の端部角隅部にはスマートフォンケース１０の各端部角隅部をはめ込むことが可能な三角形の袋状部８a〜８dが形成されており、この三角形の袋状部８a〜８ｄをスマートフォンケース１０の各端部角隅部に嵌め込むことにより着せ替えシート１をスマートフォンケース１０に固定することができる。またこの場合に、上記三角形の袋状部の形成に変えて、例えばゴムひも状のバンドを斜め方向に向けて取り付けることにより着せ替えシート１の四隅の角部分に係止することができるようにしてもよい。
【００２５】
さらに図６には本考案の第４実施例があらわされている。この場合は、着せ替えシート１をスマートフォンケース１０の端縁部に係止させる手段として、略正方形をした着せ替えシート１の周囲四辺部分に、着せ替えシート１の端縁を内方に折り返して内側に向けた溝状部２aを形成し、この各溝状部２aをスマートフォンケース１０の外周縁部に嵌め込んで係止させるようにしたものであり、加工の際に成形編みなどの手法により容易に成形することができる。なお図５および図６において、１８はスマートフォンケース１０の表面カバー１３の内側に設けたポケットの開口部を表し、１８aおよび１８ｂは上記ポケット１８の外側に、開口部を上記したポケット１８と交差方向（上方）に向けて形成したカードポケットを示している。
【００２６】
また１９は裏面カバー１２の内側に、開口部をスマートフォンケース１０を開いた状態において表面カバー１２のポケット１８と対向する方向に向けて設けられたポケットをあらわしており、さらに裏面カバー１２側のポケット１９上には、開口部を上記したポケット１９と交差方向（上方）に向けて形成したカードポケット１９a、１９ｂ、１９cが設けられている。なお１４はスマートフォンＳＭの保持板をあらわしている（粘着パッド１６は省略されている）。さらに本考案の着せ替えシート１を制作する場合には、一般的な小物類の加工と同様の縫製によることもできるが、接着剤を使用した縫製によることもできる。またこの場合にニット生地を用いて縫製ではなく成形編みの手法によって加工することもできる。
【００２７】
上記した各実施例の構成において、スマートフォンケース１０に被せられた着せ替えシート１が汚れた場合においては、取り外して洗濯し、再度嵌め込むことにより簡便に繰り返して再生使用をすることができ、またスマートフォンケース１０自体に比して極めて安価であるところから、あらかじめ複数種の模様が施された着せ替えシート１を複数枚購入しておき、生地の模様が退色し、あるいは飽きた場合等には、別の柄模様の着せ替えシート１に簡単に交換することができる。なお、着せ替えシート１の購入形態としては、本考案の着せ替えシート１を被覆させた状態のスマートフォンケース１０を購入する場合と、スマートフォンケース１０と着せ替え用シート１とをセットで購入する場合と、さらに着せ替えシート１のみ別売で購入する場合などがある。
【符号の説明】
【００２８】
１      着せ替えシート
２      折り返し縁部
２a     溝状部
３      ポケット
４      フック穴
５      ゴムバンド
６      着せ替えシートの端部
７      袋状部
８a     三角形の袋状部
８b     三角形の袋状部
８c     三角形の袋状部
８d     三角形の袋状部
９      袋状部
１０    スマートフォンケース
１１    連接部
１２    裏面カバー
１３    表面カバー
１４    スマートフォンの保持板
１５    ハトメ
１６    粘着パッド
１７    止着フック
１８    ポケット
１８a   カードポケット
１８b   カードポケット
１９    ポケット
１９a   カードポケット
１９b   カードポケット
１９c   カードポケット
ＳＭ    スマートフォン
【図１】
0003200498.tif 000003
【図２】
0003200498.tif 000004
【図３】
0003200498.tif 000005
【図４】
0003200498.tif 000006
【図５】
0003200498.tif 000007
【図６】
0003200498.tif 000008